(57)【要約】      （修正有）【課題】鉄塔を構築する組立工法において、作業能率並びに作業安全性を向上させる足場及び足場使用の組立工法を提供する。【解決手段】鉄塔組立用足場３は、足場杆装着部１３を覆うと共に背面に足場杆装着部内に上方より差し入れ可能な差込ピン３１１を付設した複数の縦杆部３１と、前記各縦杆部から放射状に突設した複数の横杆部３２と、横杆部上に張り巡らした足場板３３と、足場板の外周に設けた手すり部３４とを備えてなり、鉄塔部材１の適宜位置の足場杆装着部１３に、前記の組立用足場における縦杆部３１の差込ピン３１１を挿入して、鉄塔部材における梯子部分を除いた全周に足場を装着すると共に、全縦杆部を適宜なバンド４で鋼管本体に密着固定させて立て込みを行い、次に上方に継ぎ足される鉄塔部材にも同様に地上で足場を装着した後クレーンで吊り上げ、下方鉄塔部材に装着した足場を使用して足場装着済みの上方継ぎ足し鉄塔部材の連結固定作業を順次行う。【選択図】図７
2006124965.tif 000002
【特許請求の範囲】
【請求項１】
所定外径の鋼管本体の上下端をフランジ部とし、外周面に鉄塔昇降用梯子を装着すると共に、外周面の適宜箇所に上下が開放したコの字断面の鋼板を溶接して形成した足場杆装着部を備えてなる鉄塔部材を、上方に順次継ぎ足すと共に上下当接するフランジ部をボルトナットで連結接続して鉄塔を構築する鉄塔構築作業に使用される作業用足場で、前記足場杆装着部を覆うと共に背面に足場杆装着部内に上方より差し入れ可能な差込ピンを付設した複数の縦杆部と、前記各縦杆部から放射状に突設した複数の横杆部と、横杆部上に張り巡らした足場板と、足場板の外周に設けた手すり部とを備えてなることを特徴とする鉄塔組立用足場。
【請求項２】
所定外径の鋼管本体の上下端をフランジ部とし、外周面に鉄塔昇降用梯子を装着すると共に、外周面に適宜箇所に上下が開放したコの字断面の鋼板を溶接して形成した足場杆装着部を備えてなる鉄塔部材を、上方に順次継ぎ足すと共に上下当接するフランジ部をボルトナットで連結接続して鉄塔を構築する鉄塔組立工法において、鉄塔部材の適宜位置の足場杆装着部に、請求項１記載の足場における縦杆部の差込ピンを挿入して、鉄塔部材における梯子部分を除いた全周に足場を装着すると共に、全縦杆部を適宜なバンドで鋼管本体に密着固定させて立て込みを行い、次に上方に継ぎ足される鉄塔部材にも同様に地上で足場を装着した後クレーンで吊り上げ、下方鉄塔部材に装着した足場を使用して足場装着済みの上方継ぎ足し鉄塔部材の連結固定作業を順次行うことを特徴とする鉄塔組立工法。
【請求項３】
鉄塔部材の連結作業を終了した下方鉄塔部材に装着した足場を取り外し、次の上方継ぎ足し鉄塔部材に足場として装着する請求項２記載の鉄塔組立工法。
【発明の詳細な説明】
【技術分野】
【０００１】
本発明は、種々の構造の鉄塔のうち、主として携帯電話用アンテナに使用する程度の大きさの塔状構造物で、特に単管鉄柱部材を上方に継ぎ足し接続して組み立てる鉄塔の組立工法及び、この組立工法に使用する組立用足場に関するものである。
【背景技術】
【０００２】
適宜な径を備えた鋼管を上方に継ぎ足して構築する鉄塔は、上下端に連結用フランジ部１１を設けた単管形状の鉄塔部材１を、最初に所定の土台（コンクリート土台）に直立固定した後、次の鉄柱部材を吊り上げ、上下部材のフランジ部１１を対面させ、連結ボルトナット２で接続する。そして順次同様の接続を繰り返して所定高さまで継続し所望高さの鉄塔を構築するものである。
【０００３】
前記の鉄塔構築に際しては、鉄塔部材１に予め梯子１２を外装しておき、又部材の外周面に外周方向並びに上下方向の適宜間隔で足場杆装着部１３を設けている。この足場杆装着部１３は、上下が開放したコの字断面の鋼板を溶接し、外側面にボルト孔を穿設したもので、必要な位置に、先端部にネジを刻設した足場杆Ａを前記ボルト孔に挿入し、外側面の表裏において前記ネジに螺合した緊締ボルトで足場杆Ａを固定している。
【０００４】
そして鉄塔構築作業は、図８で示すように作業員Ｂは梯子１２を使用して直立固定されている構築途中の鉄塔１ａに登り、足場杆Ａに足を掛け、足場杆装着部１３に命綱Ｃを結び、クレーンで吊り上げられ、構築途中の鉄塔１ａの上方に運ばれた鉄塔部材１ｂのフランジ部１１ｂを鉄塔１ａのフランジ部１１ａと対面させ、作業員Ｂが手作業によってボルトナット２で鉄塔１ａ，１ｂを連結固定する。この作業を順次繰り返し、所定高さに至ると、鉄塔最上部にアンテナその他構築目的の所定の部材を装着するものである。
【０００５】
また単管形状の塔状構造物の作業足場としては、特開２０００−１７０３７６号公報（特許文献１）に、筒状構造物の外周面に面接触するバンドを筒状構造物の高さ方向に所定間隔を設けて複数配置し、このバンドに作業足場を着脱自在に取り付けてなる仮設足場が開示されている。
【０００６】
また特開２００２−２４２４２１号公報（特許文献２）には、レール単位体を継ぎ足しながら昇降かご（円柱鉄塔解体用足場）を円柱鉄塔の頂部まで上昇させ、昇降かごの作業ステージにおいて円柱鉄塔の切断、切断片の取り込みを行ない、円柱鉄塔の頂部側から解体に伴って昇降かごでレール単位体の分離取り込みを行なう円柱鉄塔の解体時の作業足場が開示されている。
【０００７】
【特許文献１】特開２０００−１７０３７６号公報。
【特許文献２】特開２００２−２４２４２１号公報。
【発明の開示】
【発明が解決しようとする課題】
【０００８】
前述したように作業者が足場杆に足を掛けて鉄塔構築を行うことは、作業者として充分に訓練を積んだ熟練の鳶職人である必要があり、人的制限を受けることによって作業進行が制限される虞がある。
【０００９】
また前記した特許文献１記載の作業用足場は、筒状構造物の外周面に面接触するバンドを支持基点としているもので、先細形状の煙突のような搭状構造物でなければ成立せず、同一径の管状体を使用する鉄塔部材による鉄塔構築には採用できない。
【００１０】
更に特許文献２記載の作業用足場は、解体作業に対する足場であるため、搭状構造物自体にどのような加工を施しても問題が生じないので、レールの装着が可能であるが、新規の塔状構造物の構築に際しては、レールの装着並びに取り外しが不都合である。しかも昇降カゴの採用は、昇降用動力源を必要として、従前の人力作業が採用されていた鉄塔構築には過剰品質である。
【００１１】
そこで本発明は、簡単に組み込みが可能で且つ取り外し容易な作業足場並びに同足場を使用する鉄塔組立工法を提案したものである。
【課題を解決するための手段】
【００１２】
本発明に係る鉄塔組立工法並びに鉄塔組立用足場は、所定外径の鋼管本体の上下端をフランジ部とし、外周面に鉄塔昇降用梯子を装着すると共に、外周面の適宜箇所に上下が開放したコの字断面の鋼板を溶接して形成した足場杆装着部を備えてなる鉄塔部材を、上方に順次継ぎ足すと共に上下当接するフランジ部をボルトナットで連結接続して鉄塔を構築する組立工法並びに前記の鉄塔構築作業に使用される作業用足場である。
【００１３】
そして鉄塔組立用足場は、足場杆装着部を覆うと共に背面に足場杆装着部内に上方より差し入れ可能な差込ピンを付設した複数の縦杆部と、前記各縦杆部から放射状に突設した複数の横杆部と、横杆部上に張り巡らした足場板と、足場板の外周に設けた手すり部とを備えてなることを特徴とするものである。
【００１４】
また鉄塔組立工法は、鉄塔部材の適宜位置の足場杆装着部に、前記の組立用足場における縦杆部の差込ピンを挿入して、鉄塔部材における梯子部分を除いた全周に足場を装着すると共に、全縦杆部を適宜なバンドで鋼管本体に密着固定させて立て込みを行い、次に上方に継ぎ足される鉄塔部材にも同様に地上で足場を装着した後クレーンで吊り上げ、下方鉄塔部材に装着した足場を使用して足場装着済みの上方継ぎ足し鉄塔部材の連結固定作業を順次行うことを特徴とするものである。
【００１５】
また前記鉄塔組立工法において、特に鉄塔部材の連結作業を終了した下方鉄塔部材に装着した足場を取り外し、次の上方継ぎ足し鉄塔部材に足場として装着することを特徴とするものである。
【発明の効果】
【００１６】
本発明は、上記構成を備えた鉄塔組立用足場を使用して上記手順で鉄塔を構築するものであるから、地上において予め足場を鉄塔部材に装着しておくことで作業足場が地上の作業で得ることができ、しかも鉄塔部材に特別の加工を施すことなく従前の状態のままで足場を組み込むため、足場装着作業が簡単に行えるものである。同時に安全に鉄塔構築作業ができる足場を提供できたので、鉄塔構築作業が熟練作業員でなくとも安全に且つ速やかに実施できる。
【００１７】
また鉄塔部材の継ぎ足しの進行に対応して、連結固定終了箇所の作業足場の再使用によって足場部材がより有効に利用できる。
【発明を実施するための最良の形態】
【００１８】
次に本発明の実施形態について説明する。本発明の対象となる鉄塔は、鉄塔部材１が所定外径の鋼管本体の上下端にフランジ部１１を備え、上下の鉄塔部材１ａ，１ｂの各フランジ部１１ａ，１１ｂを対面させ、連結ボルトナット２で接続して上方に継ぎ足すことを繰り返し所望高さの鉄塔を構築するものである。
【００１９】
鉄塔部材１は、前記フランジ部１１の他に、外周面に鉄塔昇降用梯子１２を装着（溶接による）すると共に、外周面に足場杆装着部１３を設けている。この足場杆装着部１３は、上下が開放したコの字断面の鋼板を溶接し、外側面にボルト孔を穿設したもので、鋼管本体の外周面に、外周方向並びに上下方向の適宜間隔で設けているものである。例えば外周方向では、４５度の間隔で梯子１２部分を除いた７箇所に設けている。
【００２０】
また前記の鉄塔部材１は、同一径の鋼管本体で形成されるほか、鉄塔の上方部分となる部材においては、下方部分より小径の鋼管本体が使用される。
【００２１】
作業用足場３は、縦杆部３１と横杆部３２と足場板３３と、手すり部３４で構成されている。
【００２２】
縦杆部３１は、鉄塔部材１の外周面に対応して４５度間隔で３本又は４本配置されるもので、前記足場杆装着部１３を覆う箱状に形成すると共に、背部内に足場杆装着部１３内に上方より差し入れ可能な差込ピン３１１を付設してなる。尚差込ピン３１１は上下２箇所に設けておいても良い。
【００２３】
横杆部３２は、前記各縦杆部３１の上下途中部分から放射状に突設したもので、この横杆部３２上に足場板３３を設置固定しているものである。
【００２４】
また足場板３３の外周縁位置に、足場板３３又は横杆部３２に連結固定した手すり部３４を設け、手すり部３４には必要に応じて安全ネット３５を装着させている。
【００２５】
而して前記足場３を使用し、鉄塔部材１の上方継ぎ足しで鉄塔を構築するもので、鉄塔部材１は、クレーンで部材上方側を吊り上げて斜めにし、鉄塔部材１の上方適宜位置の横並びの足場杆装着部１３に、組立用足場３における各縦杆部３１を被せ、更に鉄塔部材１の下方側に移動させて、足場杆装着部１３の内側に差込ピン３１１を挿入し、足場３が前記足場杆装着部１３に載置される状態とする。
【００２６】
また前記足場３は、２個の部材を使用することで鉄塔部材１における梯子１２部分を除いた全周に足場を装着し、縦杆部３１の上方部分を、適宜なバンド４で鋼管本体に密着固定させる。
【００２７】
そして最初の鉄塔部材１ａを所定の土台（コンクリート土台）に直立固定し、作業員Ｂが梯子１２を使用して登って、足場３に位置して、次の鉄塔部材１ｂの継ぎ足し連結作業を行う。
【００２８】
次の鉄塔部材１ｂには、地上において予め先の鉄塔部材１ａと同様に足場３を装着固定した後クレーンで吊り上げ、先の鉄塔部材１ａの上方に運び、鉄塔部材１ｂのフランジ部１１ｂを鉄塔部材１ａのフランジ部１１ａと対面させ、足場３の上に位置する作業員Ｂが手作業によってボルトナット２で鉄塔１ａ、１ｂを連結固定する。
【００２９】
更に前記の鉄塔部材１ａ，１ｂの連結固定作業が終了すると、作業員Ｂは、上方の次の足場３に登り、次の足場３を装着した鉄塔部材１の連結固定作業を行う。
【００３０】
尚連結固定作業が終了した足場３は、クレーンに連結しておき、作業員Ｂが上方足場に上っていく際に、バンド４の緊縛を解除し、クレーンで上方に引上げると差し込みピン３１１が足場杆装着部１３から外れるので、クレーンで地上に戻し、次に継ぎ足すべき鉄塔部材１に使用する。
【００３１】
そして最上段の鉄塔部材１の継ぎ足し連結固定を終了すると、最上段の鉄塔部材１に装着しておいた足場を使用して、アンテナ等の立て込みなど鉄塔の建設目的に対応した部材を装着し、全ての作業を終了すると、作業員Ｂは梯子１２を使用して地面に降り、足場３はクレーンで地上に戻すものである。
【００３２】
従って高所作業となる鉄塔部材１の継ぎ足し連結固定する鉄塔構築作業を、広い足場を使用して行うことになるので、作業能率が向上するし、安全な作業となるものである。
【図面の簡単な説明】
【００３３】
【図１】本発明の実施形態の足場の側面図。
【図２】同足場の一部平面図。
【図３】同足場の鉄塔部材への装着状態の説明図。
【図４】同組立工法の説明図（鉄塔部材への足場装着作業：途中状態）。
【図５】同組立工法の説明図（鉄塔部材への足場装着作業：終了状態）。
【図６】同組立工法の説明図（鉄塔部材の吊り上げ作業）。
【図７】同組立工法の説明図（鉄塔部材の継ぎ足し連結作業）。
【図８】従来の鉄塔組立工法の説明図（鉄塔部材の継ぎ足し連結作業）。
【符号の説明】
【００３４】
１        鉄塔部材
１１      フランジ部
１２      鉄塔昇降用梯子
１３      足場杆装着部
２        ボルトナット
３        作業用足場
３１      縦杆部
３１１    差込ピン
３２      横杆部
３３      足場板
３４      手すり部
３５      安全ネット
４        バンド
【図１】
2006124965.tif 000003
【図２】
2006124965.tif 000004
【図３】
2006124965.tif 000005
【図４】
2006124965.tif 000006
【図５】
2006124965.tif 000007
【図６】
2006124965.tif 000008
【図７】
2006124965.tif 000009
【図８】
2006124965.tif 000010